(57)【要約】【課題】  取り外したコンセントキャップを自動的に保管することができるキャップ取外し具を提供すること。【解決手段】  コンセントから取り外されたコンセントキャップを収納するためのケース体と、ケース体に取り付けられ、ケース体に形成された開口を開閉可能な蓋体とを備え、ケース体には、コンセントに装着された状態のコンセントキャップのキャップ本体の裏面とコンセントの表面との間に差し込まれる爪片が設けられるとともに、爪片がキャップ本体の裏面とコンセントの表面との間に差し込まれる際にキャップ本体をケース体の内部空間に導く導入口が形成され、コンセントからコンセントキャップを取り外したときに該コンセントキャップをケース体内に落とし込めるように構成されている。【選択図】図２
2006236679.tif 000002
【特許請求の範囲】
【請求項１】
片手で操作可能で、コンセントのプラグ差込口に挿入される２つの舌片を板状のキャップ本体に形成したコンセントキャップを前記コンセントから取り外すためのキャップ取外し具であって、前記コンセントから取り外された前記コンセントキャップを収納するためのケース体と、前記ケース体に取り付けられ、前記ケース体に形成された開口を開閉可能な蓋体とを備え、前記ケース体には、前記コンセントに装着された状態の前記コンセントキャップの前記キャップ本体の裏面と前記コンセントの表面との間に差し込まれる爪片が設けられるとともに、前記爪片が前記キャップ本体の裏面と前記コンセントの表面との間に差し込まれる際に前記キャップ本体を前記ケース体の内部空間に導く導入口が形成され、前記コンセントから前記コンセントキャップを取り外したときに該コンセントキャップを前記ケース体内に落とし込めるように構成されていることを特徴とするキャップ取外し具。
【請求項２】
前記ケース体及び前記蓋体のうちの一方の部材には、前記蓋体が閉塞した時に前記ケース体及び前記蓋体のうちの他方に形成された係合穴に自動的に係合して該記蓋体を閉塞状態に保持する係合片と、前記蓋体の開放時に前記一方の部材が前記他方の部材に対して離反する方向とは異なる方向に操作可能でその操作している間だけ前記係合片を動作させて前記係合穴と前記係合片との係合を解除する操作部が設けられていることを特徴とする請求項１に記載のキャップ取外し具。
【請求項３】
前記ケース体及び前記蓋体のうちの一方の部材には、前記蓋体が閉塞した時に前記ケース体及び前記蓋体のうちの他方に形成された係合穴に自動的に係合して該記蓋体を閉塞状態に保持する２つの係合片と、前記２つの係合片の各々に対応して設けられ、操作している間だけ、対応する前記係合片を動作させて該係合片と前記係合穴との係合を解除する２つの操作部とが設けられていることを特徴とする請求項１に記載のキャップ取外し具。
【請求項４】
前記ケース体及び前記蓋体のうちの一方の部材には、前記蓋体が閉塞した時に前記ケース体及び前記蓋体のうちの他方に形成された係合穴に自動的に係合して該記蓋体を閉塞状態に保持する係合片と、前記係合片を動作させてその係合片と前記係合穴との係合を解除する操作部と、操作している間だけ前記係合片の動作を許容する他の操作部とが設けられていることを特徴とする請求項１に記載のコンセントキャップの取外し具。
【請求項５】
２つの操作部のうちの一方はスライド摘みで構成され、他方は押し込みボタンで構成されていることを特徴とする請求項３又は４に記載のキャップ取外し具。
【発明の詳細な説明】
【技術分野】
【０００１】
本発明は、片手で操作可能で、コンセントのプラグ差込口に挿入される２つの舌片を板状のキャップ本体に形成したコンセントキャップを前記コンセントから取り外すためのキャップ取外し具に関する。
【背景技術】
【０００２】
使用されていないコンセントは、プラグ差込口が露出した状態にある。このように、コンセントのプラグ差込口が露出したままになっていると、幼児等がプラグ差込口に金属片等の導体を差し込むことにより、感電したりショートを起こすことがあり、また、長期間使用されていない場合には、プラグ差込口に塵埃が付着し、使用時に接触不良を起こす虞がある。
【０００３】
そこで、このような問題を解決するべく、コンセントキャップが提供されている（例えば、特許文献１）。このコンセントキャップは、合成樹脂等の絶縁材料によって形成され、コンセントのプラグ差込口を覆う板状のキャップ本体と、該キャップ本体の裏面に立設された２つの舌片とから構成され、その２つの舌片をコンセントのプラグ差込口に挿入係合させることによって、コンセントのプラグ差込口を覆うような構造となっている。
【特許文献１】実公平７−５３２５５号公報（図２参照）
【発明の開示】
【発明が解決しようとする課題】
【０００４】
コンセントを使用する際、即ち、コンセントキャップを取り外した場合には、該コンセントキャップを保管しておかないと、紛失してしまう虞があるばかりでなく、放置した場合には、コンセントキャップを人が踏んでしまったりする危険性がある。
【０００５】
本発明は、かかる問題点を解決するためになされたもので、取り外したコンセントキャップを自動的に保管することができるキャップ取外し具を提供することを目的とする。
【課題を解決するための手段】
【０００６】
請求項１に記載のキャップ取外し具は、片手で操作可能で、コンセントのプラグ差込口に挿入される２つの舌片を板状のキャップ本体に形成したコンセントキャップを前記コンセントから取り外すためのキャップ取外し具であって、前記コンセントから取り外された前記コンセントキャップを収納するためのケース体と、前記ケース体に取り付けられ、前記ケース体に形成された開口を開閉可能な蓋体とを備え、前記ケース体には、前記コンセントに装着された状態の前記コンセントキャップの前記キャップ本体の裏面と前記コンセントの表面との間に差し込まれる爪片が設けられるとともに、前記爪片が前記キャップ本体の裏面と前記コンセントの表面との間に差し込まれる際に前記キャップ本体を前記ケース体の内部空間に導く導入口が形成され、前記コンセントから前記コンセントキャップを取り外したときに該コンセントキャップを前記ケース体内に落とし込めるように構成されていることを特徴とする。
【０００７】
請求項２に記載のキャップ取外し具は、請求項１に記載のキャップ取外し具において、前記ケース体及び前記蓋体のうちの一方の部材には、前記蓋体が閉塞した時に前記ケース体及び前記蓋体のうちの他方に形成された係合穴に自動的に係合して該記蓋体を閉塞状態に保持する係合片と、前記蓋体の開放時に前記一方の部材が前記他方の部材に対して離反する方向とは異なる方向に操作可能でその操作している間だけ前記係合片を動作させて前記係合穴と前記係合片との係合を解除する操作部が設けられていることを特徴とする。
【０００８】
請求項３に記載のキャップ取外し具は、請求項１に記載のキャップ取外し具において、前記ケース体及び前記蓋体のうちの一方の部材には、前記蓋体が閉塞した時に前記ケース体及び前記蓋体のうちの他方に形成された係合穴に自動的に係合して該記蓋体を閉塞状態に保持する２つの係合片と、前記２つの係合片の各々に対応して設けられ、操作している間だけ、対応する前記係合片を動作させて該係合片と前記係合穴との係合を解除する２つの操作部とが設けられていることを特徴とする。
【０００９】
請求項４に記載のキャップ取外し具は、請求項１に記載のキャップ取外し具において、前記ケース体及び前記蓋体のうちの一方の部材には、前記蓋体が閉塞した時に前記ケース体及び前記蓋体のうちの他方に形成された係合穴に自動的に係合して該記蓋体を閉塞状態に保持する係合片と、前記係合片を動作させてその係合片と前記係合穴との係合を解除する操作部と、操作している間だけ前記係合片の動作を許容する他の操作部とが設けられていることを特徴とする。
【００１０】
請求項５に記載のキャップ取外し具は、請求項３又は４に記載のキャップ取外し具において、２つの操作部のうちの一方はスライド摘みで構成され、他方は押し込みボタンで構成されていることを特徴とする。
【発明の効果】
【００１１】
請求項１の発明によれば、爪片をキャップ本体の裏面に差し込んだ状態で、キャップ本体はケース体内に存することになり、爪片によって引き抜かれたコンセントキャップは直ちにケース体内に自動的に収容される。したがって、コンセントキャップを放置することなく保管ができることになる。
【００１２】
請求項２の発明によれば、蓋体の開放時に、操作部が設けられたケース体（又は蓋体）が蓋体（又はケース体）に対して離反する方向とは異なる方向に操作部を操作しないと蓋体が開放しないので、幼児等にとっては操作が煩雑なものとなる。その結果、幼児等が容易に蓋体を開放できない構造が実現できる。
【００１３】
請求項３の発明によれば、２つ操作部を同じ時期に操作しないと蓋体が開放しないので、幼児等にとっては操作が煩雑なものとなる。その結果、幼児等が容易に蓋体を開放できない構造が実現できる。
【００１４】
請求項４の発明によれば、まず１つの操作部を操作し係合片の動作を許容する状態としておき、その状態で他方の操作部を操作しないと蓋体が開放しないので、幼児等にとっては操作が煩雑なものとなる。その結果、幼児等が容易に蓋体を開放できない構造が実現できる。
【００１５】
請求項５の発明によれば、２つの操作部材の操作が異なるので、幼児等にとっては操作が煩雑なものとなる。その結果、幼児等が容易に蓋体を開放できない構造が実現できる。
【発明を実施するための最良の形態】
【００１６】
図１はコンセントキャップを示す斜視図、図２は本発明に係るキャップ取外し具を示す斜視図、図３はキャップ取外し具の蓋体を示す分解斜視図、図４及び図５は、蓋体の断面図、図６（Ａ）〜（Ｃ）はキャップ取外し具でコンセントキャップをコンセントから取り外す態様を示す動作図である。
【００１７】
コンセントキャップ１０は、合成樹脂等の絶縁材料によって形成されている。このコンセントキャップ１０は、コンセントのプラグ差込口を覆うキャップ本体１１と、該キャップ本体の裏面に突設された一対の舌片１２とから構成されている。このキャップ本体１１の側面中央部には、切欠き１３が形成されている。このコンセントキャップ１０は、一対の舌片１２をコンセントのプラグ差込口に挿入係合させ、キャップ本体１１でコンセントのプラグ差込口を覆う。なお、本発明に係るキャップ取外し具は切欠き１３が無いものにも使用できる。
【００１８】
キャップ取外し具２０は、透明な合成樹脂によって形成され後端に開口２１ａを有する細長い角筒状のケース体２１と、該ケース体の開口２１ａを開閉する蓋体２２とによって構成されている。このキャップ取外し具２０は片手で操作可能となっている。
【００１９】
ケース体２１は、上壁２１ｂの一端側（前端側）がケース体２１の内方に向けて湾曲した構造となっている。そして、上壁２１ｂ、前壁２１ｃ及び両側壁２１ｄとの間には上記キャップ本体１１の導入口２３が形成されている。なお、上壁２１ｂの前端側の湾曲部分２４はガイド壁を構成していることが好ましい。つまり、上壁２１ｂの湾曲部分２４の外面と前壁２１ｃの内面との隙間寸法は、上記キャップ本体１１の厚みよりも少し大きい程度とすることが好ましい。また、両側壁２１ｄの内面には突起５０，５０が互いに対向して設けられている（図２にはその一方の突起しか図示されていない。）。この両突起５０，５０は導入口２３の内方に向けて突出している。この両突起２０の先端同士の間隔は上記コンセントキャップ１０のキャップ本体１１の幅寸法とほぼ同じとなっている。この両突起２０は、一旦、ケース体２１に落とし込まれたコンセントキャップ１０が導入口２３から出るのを防止する働きをする。また、前壁２１ｃには、上下方向に延びる２つの切込み２５が形成されている。この２つの切込み２５は、上記コンセントキャップ１０の一対の舌片１２のそれぞれに対応している。この２つの切込み２５の間には爪片２６が形成されている。この爪片２６の上端（先端）内面には、先端に向かって肉厚を薄くする傾斜面２７が形成されている。この傾斜面２７を設けることによって、コンセントの表面とキャップ本体１１の裏面との間に爪２６が差し込み易くなる。また、上壁２１ｂの後端部には係合穴２８が形成されている。また、両側壁２１ｄの後端下部には舌片２９，２９が平行に形成され、各舌片２９には軸受け孔３０が形成されている。
【００２０】
一方、図３に示すように、蓋体２２は、前方に開口する箱状の蓋本体３１と、蓋本体３１の開口側にねじ止めされるカバープレート４９とを備えている。蓋本体３１内には、スライド部材３２が収容されており、該スライド部材は、上記ケース体２１の係合穴２８に挿入される係合片３３を有している。
【００２１】
蓋本体３１には、図２から図５に示すように、一側壁３１ａに長孔３４が形成され、他側壁３１ｂに孔３５が形成され、さらに、上壁３１ｃに切欠き３６が形成されている。
後壁３１ｄには、孔３５の軸心延長上に２つの板体３７ａ，３７ｂが所定の距離隔てて設けられている。このうち板体３７ａには、孔３５の軸心とその軸心を同じくする孔３８が形成されている。
また、蓋本体３１には、図３に示すように、両側壁３１ａ，３１ｂの前側下端部に軸３９が外側に向けて突設されている。そして、この軸３９は、ケース体２１の軸受け孔３０に挿入され、それによって、蓋体２２がケース体２１に回動自在に支持される。
なお、ここで上下左右とは、本明細書において、壁に取り付けられているコンセントのプラグ差込口からコンセントキャップ１０を外す場合を想定し便宜上用いていることに留意する必要がある。したがって、使用状態によっては本明細書で言う上下左右と使用状態における上下左右が一致しないことは言うまでもない。
【００２２】
スライド部材３２は、箱状を成し、一側壁３２ａには、蓋本体３１の長孔３４に挿入されるスライド摘み４０が突設され、他側壁３２ｂには、孔４１が形成されている。そして、上記係合片３３は、上壁３１ｃに形成されている。なお、スライド部材３２において、スライド摘み４０が付設された面であって、かつ、蓋体２２を開放するために操作した際に長孔３４から露出する部分に、他とは異なる色を付しておくことが好ましい。このようにしておけば、スライド摘み４０が操作されたかどうかが色によって識別できる。
このスライド部材３２は、スライド摘み４０を蓋本体３１の長孔３４に挿入するとともに、図示しない適宜な手段によって、蓋本体３１内でスライド自在に支持され、下壁３２ｄと蓋本体３１の下壁３１ｅとの間に介装されたスプリング４２によって、係合片３３が突出する方向に付勢される。
なお、係合片３３の先端の前面側には傾斜面が形成され、蓋体２２を閉塞する際にその傾斜面がケース体２１の開口縁に当たり、係合片３３がスプリング４２の付勢力に抗して蓋本体３１に埋没する方向に動作し、蓋体２２が完全に閉塞された際に係合片３３がスプリング４２の付勢力によってケース体２１の係合穴２８に自動的に係合するような構造とすることが好ましい。
【００２３】
次に、ロック解除手段４３について説明する。蓋本体３１には、孔３５に嵌合された状態で押し込みボタン４４が設けられている。押し込みボタン４４の軸４３ａは、スライド部材３２の孔４１と板体３７ａの孔３８に挿入されている。そして、板体３７ａから内側に突出する軸部分にストッパ４７が付設されている。また、ストッパ４７と上記板体３７ｂとの間にはスプリング４８が掛けられ、ストッパ４７は側壁３１ｂ側に向けて付勢されている。さらに、押し込みボタン４４を押し込まない状態で、スライド部材３２の孔４１に対応する軸部分には係止板４６が付設されている。この係止板４６はスライド部材３２の孔４１と嵌合する形状となっている。係止板４６がスライド部材３２の孔４１に挿入された状態では、スライド部材３２が蓋本体３１にロックされた状態にあり、スライド部材３２の係合片３３が蓋体２２の上壁３１ｃから突出した状態となる。この状態が蓋体２２が閉塞される際の状態である。すなわち、蓋体２２の係合片３３が上壁３１ｃから突出してケース体２１の係合穴２８に挿入された状態となる。
【００２４】
この状態から、押し込みボタン４４を押し込むと、係止板４６は、スプリング４８の付勢力に抗して移動し、スライド部材３２の孔４１から離脱する。その結果、スライド部材３２のロックが解除され、スライド部材３２の下方向への移動が可能な状態となる。したがって、押し込みボタン４４を押した状態で、スライド摘み４０を長孔３４内で下方へ摺動させることによって、係合片３３をケース体２１の係合穴２８から離脱させると、蓋体２２が開放可能な状態となる。この状態で、蓋体２２を開放させる。
【００２５】
次に、キャップ取外し具２０の使用方法を説明する。
図６（Ａ）に示すように、コンセントキャップ１０の一対の舌片１２がプラグ差込口に差し込まれた状態から説明すれば、まず、同図に示すように、キャップ取外し具２０の爪片２６の先端を下方からコンセントキャップ１０の切欠き１３に差し込み、図６（Ｂ）に示すように、爪片２６を切欠き１３内に押し込む。すると、コンセントキャップ１０の一対の舌片１２の一部がプラグ差込口から抜け出る。この状態で、キャップ取外し具２０を引けば、図６（Ｃ）に示すようにコンセントキャップ１０がコンセントから取り外せることになる。そして、ケース体２１の前端２１ｃを上向きにすれば、コンセントキャップ１０はケース体２１内に落下することになる。コンセントキャップ１０がケース体２１内に一旦収まると、両突起５０，５０によってコンセントキャップ１０の逆戻りが阻止される。
【００２６】
一方、キャップ取外し具２０からコンセントキャップ１０を取り出すには、押し込みボタン４４を押し込みながら、スライド摘み４０をスライド操作し、続いて蓋体２２をケース体２１に対して回動させることによって開口２１ａを開く。これによって、ケース体２１内のコンセントキャップ１０が取り出せることになる。
【図面の簡単な説明】
【００２７】
【図１】本発明に係るコンセントキャップのキャップ取外し具が適用されるコンセントキャップを示す斜視図である。
【図２】本発明に係るキャップ取外し具を示す斜視図である。
【図３】キャップ取外し具の蓋体を示す分解斜視図である。
【図４】図３におけるIV―IV線断面図である。
【図５】図３におけるV―V線断面図である。
【図６】キャップ取外し具でコンセントキャップをコンセントから取り外す態様を示す動作図である。
【符号の説明】
【００２８】
１０  コンセントキャップ
１１  キャップ本体
１２  舌片
２０  キャップ取外し具
２１  ケース体
２１ａ  開口
２２  蓋体
２３  導入口
２６  爪片
２８  係合穴
３２  スライド部材
３３  係合片
４０  スライド摘み
４４  押し込みボタン
【図１】
2006236679.tif 000003
【図２】
2006236679.tif 000004
【図３】
2006236679.tif 000005
【図４】
2006236679.tif 000006
【図５】
2006236679.tif 000007
【図６】
2006236679.tif 000008